(57)【特許請求の範囲】
【請求項１】
ＭＤの音声データトラックに順次に連続的に記録された複数曲のデータのうちの任意の曲データを該曲データの再生時間より短い別の曲のデータで上書きするときに生じたブランク部の時間を積算し、残記録時間として表示し、前記ブランク部の時間が所定時間より短い場合には、当該ブランク部の時間は前記積算の対象としないように構成されて成ることを特徴とするＭＤ記録装置。
【請求項２】
ＭＤの音声データトラックに記録された複数曲データのうちの任意の曲データを該曲データの再生時間より短い別の曲のデータで上書きするときに生じたブランク部の時間が所定時間より短い場合には、当該ブランク部に、その後のデータ上書きを行わないように構成されて成ることを特徴とするＭＤ記録装置。
【請求項３】
ＭＤの音声データトラックに順次に連続的に記録された複数曲のデータのうちの任意の曲データを該曲データの再生時間より短い別の曲のデータで上書きするときに生じたブランク部の時間を積算し、残記録時間として表示し、前記ブランク部の時間が所定時間より短い場合には、当該ブランク部の時間は前記積算の対象としないようにする第１モードと、
前記ブランク部の時間が所定時間より短い場合であっても、当該ブランク部の時間を残記録時間として積算計数する第２モードとを、
選択できるように構成されて成ることを特徴とするＭＤ記録装置。
【請求項４】
ＭＤの音声データトラックに記録された複数曲データのうちの任意の曲データを該曲データの再生時間より短い別の曲のデータで上書きするときに生じたブランク部の時間が所定時間より短い場合には、当該ブランク部に、その後のデータ上書きを行わないようにする第１モードと、
前記ブランク部の時間が所定時間より短い場合であっても、当該ブランク部に、その後のデータの上書きを行い得るようにする第２モードとを、
選択できるように構成されて成ることを特徴とするＭＤ記録装置。
【請求項５】
前記第１モードで記録されたＭＤであるか前記第２モードで記録されたＭＤであるかの識別に対応するデータを当該ＭＤに記録し得るように構成することを特徴とする請求項３または請求項４に記載のＭＤ記録装置。
【発明の詳細な説明】
【０００１】
【発明の属する技術分野】
本発明は、ＭＤ記録再生装置に関し、特に、レコーダブルＭＤ（ミニディスク）に磁界変調光学方式で音声データ等を記録するためのＭＤ記録装置に関する。
【０００２】
【従来の技術】
ＭＤと称される記録媒体は、広く普及しているＣＤ（コンパクトディスク）の直径の約半分の径のディスクでありながら、その記録時間は音声圧縮技術（ＡＴＲＡＣ）を採用しているためにＣＤとほぼ同じで有り、しかもＣＤに極めて類似しているディジタル信号処理を行っているため、音質的には、ＣＤに匹敵する高品位の音質が得られるものである。
【０００３】
また、ＭＤは、ＣＤとは異なりカートリッジに収納したものであるので指紋や傷が付かず取扱いが手軽なためと、曲トラックのジャンプがＣＤ同様に迅速に行え使い勝手が非常によく、しかも前述のような高音質であるために従前のアナログカセットテープに取って変わる勢いで広く普及が進んでいる。
【０００４】
このようなＭＤに記録を行うＭＤ記録装置の従来例における回路構成の概要は、図５に示される。
【０００５】
図５を参照すると、ＲＦマトリクスアンプ１は、ＭＤ（図示せず）の記録面に対向配置される光学ピックアップ１１からの再生信号系の処理と、逆に、記録信号を処理して光学ピックアップ１１に送出するためのもので、ＭＤの記録再生に使用するＲＦ信号とサーボ信号等を処理する。即ち、ＲＦマトリクスアンプ１は、光学ピックアップ１１のジャストフォーカスとジャストトラッキングの制御に必要なフォーカスエラー信号とトラッキングエラー信号、さらにはＭＤ記録エリアのアドレス情報であるＡＤＩＰのＦＭ変調信号のサーボとＥＦＭ（８−１４変調）とＡＣＩＲＣ（符号誤り訂正）のエンコーダ／デコーダの機能を有する制御回路２に出力するものとし、さらに、光学ピックアップ１１のレーザ光出力を所定の信号形態とするＡＰＣ回路を内蔵している。
【０００６】
制御回路２は、ＲＦマトリクスアンプ１で処理された光学ピックアップ１１からのフォーカスエラー信号とトラッキングエラー信号を受信して、光学ピックアップ１１のフォーカスサーボとトラッキングサーボを行い、ＡＤＩＰ信号とモータコントロール用サーボ信号とアドレス情報を取り出し、光学ピックアップ１１の送り機構の制御とディスク回転制御を行う。
【０００７】
制御回路２は、ＡＴＲＡＣのエンコーダ／デコーダの機能を有する制御回路３に接続されている。また、制御回路２は、そのＥＦＭとＡＣＩＲＣのエンコーダ／デコーダの回路部は、エンコード時に、制御回路３のＡＴＲＡＣのエンコーダ／デコーダの回路部でエンコードされた、Ａ／Ｄ変換回路１０からのディジタルオーディオ信号をＡＣＩＲＣを用いて誤り訂正符号を付加し、ＥＦＭの変調を行いＲＦマトリクスアンプ１に出力する。デコード時は、ＲＦマトリクスアンプ１からのＥＦＭ信号入力をＥＦＭの復調を行い、ＡＣＩＲＣによる符号誤り訂正を行い、制御回路３のＡＴＲＡＣのエンコーダ／デコーダで出力してＡＴＲＡＣによる圧縮処理を行う。そして、ＡＴＲＡＣデコード処理されたデータは、Ｄ／Ａ変換回路９によりアナログ信号に変換されてオーディオ出力の信号にされる。
【０００８】
ＡＴＲＡＣのエンコーダ／デコーダの処理は、音声圧縮／伸張が行われるが、この音声圧縮は、通常は約１／５に圧縮され、また、ＭＤの回転速度はＣＤと同じＥＦＭの規定速度のためデータ入力量と出力量に約５倍もしくは１／５の差が生じてしまう。このような差を補償するためにデータバッファとしてショックプルーフメモリと称されるＤＲＡＭ４が設けられている。
【０００９】
さて、システムコントローラ５は、マイコンで構成され、ＲＦマトリクスアンプ１と制御回路２と制御回路３に制御指令信号を出力し、「通常再生、記録、ポーズ、ストップ、サーチ」等の動作を実行させ、ＭＤに記録されているＴＯＣおよびＵＴＯＣの情報やアドレス情報を受けてその解読や時間表示データの生成等を行わせるように構成されている。
【００１０】
メモリ６は、システムコントローラ５経由で受け取ったＴＯＣおよびＵＴＯＣ情報等、ＭＤの再生やトラックネームの表示等に必要な管理情報を記憶するためのもので、必要なときに読み出しおよび書き込みが行われる。
【００１１】
キーマトリクス７は、ユーザーの操作に対応した指示を受け、システムコントローラ５に対して「通常再生、記録、ポーズ、ストップ、サーチ」等の制御メモリ６の読み出し／書き込みの制御およびディスプレイ８の制御を行わせる。
【００１２】
キーマトリクス７は、例えば、図６に示すように構成され、本体の表面に設けられた数字キー７ａと曲名等のタイトルを入力するときのタイトル入力キー７ｂと「通常再生、記録、ポーズ、ストップ、サーチ」を指令するための動作指令キー７ｃで構成されている。
【００１３】
このような従来のＭＤ記録装置の一例において、ＭＤへの曲記録時、その曲トラックへの記録状態を概念的に表すと図７に示すようになる。
【００１４】
即ち、１回目に曲トラックに曲データＡ−１から曲データＡ−１５間で１５曲を連続して記録した状態では、隣接する局データの間に隙間なく並んでいてプランクがなく、最終曲（曲データＡ−１５）の後ろにプランクＢとして１つにつながっている。なお、曲データＡ−１から曲データＡ−１５のそれそれに付した時間表示は、それそれの記録時間の一例を示す。
【００１５】
ここで、ＭＤの優れた特長の１つであるデータの記録／取り消し／書き替えが簡単にできるということのために、１回目の曲トラックに対して２回目の記録を行って、例えば、５分３０秒の記録時間を持った曲データＡ−１と４分２０秒の記録時間を持った曲データＡ−１４の２つを取り消して新しい２曲を記録する場合には、新しい２曲の所要時間は取り消した曲の時間と同じとは限らないので、新しい２曲が少し短い曲、例えば４分３０秒の所要時間と３分５０秒の所要時間だとすると、曲データＡ−１の対応部分に１分００秒のブランクｃ１と曲データＡ−１４の対応部分に０分３０秒のブランクｃ２が発生する。
【００１６】
このようにして、一部の既記録の曲データを書き替える動作を繰り返し（ｎ回）行なうと、図示のように余り記録時間が長くないブランクｂ１〜ｂｎが生じることになる。
【００１７】
従って、次に新たな１曲を記録しようとするときには、ブランクｂ１〜ｂｎののそれぞれの時間が、新たに記録したい曲の所要時間より長い場合には、前述同様の記録が可能であるが、短い場合には、ブランクｂ１〜ｂｎのうちの複数個に細切れの状態で記録されることになる。こうして、ＭＤの有する曲トラックを最大限に使用して多くの曲データを記録することができる。
【００１８】
また、ＭＤの優れた特長の１つに残記録時間を表示できることが挙げられるが、これは、ブランクの総合計時間、例えば図７の場合には、ブランクｂ１〜ｂｎの合計時間を略残記録時間として表示するものである。
【００１９】
【発明が解決しようとする課題】
以上のような従来のＭＤ記録装置は、曲データの書き替えが、極めて簡単な操作によりユーザーが無意識に行うことができるため、例えば、ＣＤシングルをレンタル等で借り受け、１枚のＭＤに記録し、何回か再生を行って好みの曲であった場合には、そのまま残し、好みでない曲の場合には、その部分を、後日に別途借り受けた新たなＣＤシングルの曲に書き替える等の書き替え操作を頻繁に行うと、ＭＤの残記録時間を表示が記録所要時間内に収まっている場合であっても、新たな曲の記録が１つのブランク部分に収まった状態で行われるとは限らず、複数のブランク部分に飛び飛びで行われる場合がある。
【００２０】
このような、複数のブランク部分に飛び飛びで記録が行われる場合には、記録を行ったＭＤ装置で再生を行うときショックプルーフメモリであるＤＲＡＭの容量と性能が記録／再生のいずれに対しても同一のため別段の問題が生じないものの、一般に製造販売されているＭＤ記録装置は、全ての機種で同じメモリ容量であったり同じショックプルーフ機能を持っているとは限らず、ブランク時間があまりに少ないと、光学ピックアップでＭＤのデータを読み取る際に、飛び飛びのブランク部分にトラックジャンプして所望のブランク部分を見つけ出し、そこに曲データの一部を記録し、再び別のブランク部分にトラックジャンプしてブランク部分を見つけ出して曲データの一部を記録するという動作を繰り返し行わなければならず、かなりの時間が掛かり、この間にショックプルーフメモリであるＤＲＡＭに既に格納されているデータが全て吐き出されてしまい、結果的に音飛びが発生する虞がある。
【００２１】
また、カーオーディオの一環としてＭＤ再生を行う場合には、路面状態が悪く振動がＭＤ再生機器に与えられてしまい、光学ピックアップによるＭＤ記録盤面の読取り走査がそのサーボ可能性能を越えて一時的にうまく走査ができなくても、ショックプルーフメモリであるＤＲＡＭにデータを溜めておくために、音飛びは殆ど生じない。
【００２２】
しかし、記録可能時間があまりに少ない多数のブランク部分に飛び飛びに記録されているＭＤを再生する場合には、ＭＤ再生機器の持っているショックプルーフメモリであるＤＲＡＭの性能が、ＭＤ記録機器と同じであっても光学ピックアップによるＭＤ記録盤面の読取り走査が飛び飛びに行われるためにその時間が多く掛り、結果的に音飛びの発生頻度が高くなり、最悪の場合には、ディスク不良と判定されてしまう。
【００２３】
このようにディスク不良と判定された場合には、ＭＤの記録トラックへの記録態様等の技術を知る筈のない一般ユーザーには、他の機器で再生できて別の機器で再生できないのは機器故障であると受け取られても不思議はない。
【００２４】
そこで、本発明の目的は、ＭＤのデータ書き替えに際して複数のブランク部分に飛び飛びに記録され、再生時に円滑な再生が行われなくことを極力に防止し、ユーザーが機器故障であると誤った受け取りをすることのないＭＤ記録装置を提供することにある。
【００２５】
【課題を解決するための手段】
前述の課題を解決するため、本発明によるＭＤ記録装置は、次のような特徴的構成を採用している。
【００２６】
（１）ＭＤの音声データトラックに順次に連続的に記録された複数曲のデータのうちの任意の曲データを該曲データの再生時間より短い別の曲のデータで上書きするときに生じたブランク部の時間を積算し、残記録時間として表示し、前記ブランク部の時間が所定時間より短い場合には、当該ブランク部の時間は前記積算の対象としないように構成されて成るＭＤ記録装置。
【００２７】
（２）ＭＤの音声データトラックに記録された複数曲データのうちの任意の曲データを該曲データの再生時間より短い別の曲のデータで上書きするときに生じたブランク部の時間が所定時間より短い場合には、当該ブランク部に、その後のデータ上書きを行わないように構成されて成るＭＤ記録装置。
【００２８】
（３）ＭＤの音声データトラックに順次に連続的に記録された複数曲のデータのうちの任意の曲データを該曲データの再生時間より短い別の曲のデータで上書きするときに生じたブランク部の時間を積算し、残記録時間として表示し、前記ブランク部の時間が所定時間より短い場合には、当該ブランク部の時間は前記積算の対象としないようにする第１モードと、
前記ブランク部の時間が所定時間より短い場合であっても、当該ブランク部の時間を残記録時間として積算計数する第２モードとを、
選択できるように構成されて成るＭＤ記録装置。
【００２９】
（４）ＭＤの音声データトラックに記録された複数曲データのうちの任意の曲データを該曲データの再生時間より短い別の曲のデータで上書きするときに生じたブランク部の時間が所定時間より短い場合には、当該ブランク部に、その後のデータ上書きを行わないようにする第１モードと、
前記ブランク部の時間が所定時間より短い場合であっても、当該ブランク部に、その後のデータの上書きを行い得るようにする第２モードとを、
選択できるように構成されて成るＭＤ記録装置。
【００３０】
（５）前記第１モードで記録されたＭＤであるか前記第２モードで記録されたＭＤであるかの識別に対応するデータを当該ＭＤに記録し得るように構成する上記（３）または（４）のＭＤ記録装置。
【００３１】
【発明の実施の形態】
以下、本発明の実施の形態について添付図面を参照しながら説明する。図１は、本発明によるＭＤ記録装置の要部の回路構成を示す回路ブロック図であり、図５を用いて説明した従来のＭＤ記録装置と同様の部分が多々あるので、重複説明を避けるためにその該当部分には図５に示と同一の符号を付すにとどめその詳細説明を省略し、異なる部分、即ち、本発明に直接に関わる部分を重点的に説明する。
【００３２】
キーマトリクス１３は、従来のキーマトリクス７に対して追加して設けられたもので、図２に示すようにオンキー１３ａとセットキー１３ｂで構成される。このオンキー１３ａは、後述の第１モードと第２モードを選択するためのキーであり、セットキー１３ｂは、後述の第１モードにおける所定時間を設定するためのキーであり、このようなキーマトリクス１３はシステムコントローラ５に接続されている。
【００３３】
また、比較時間メモリ１２は、キーマトリクス１３のセットキー１３ｂによって設定される所定時間と残記録時間を比較するためのもので、このような比較時間メモリ１２はシステムコントローラ５に接続されている。
【００３４】
以上のように構成されたＭＤ記録装置における本発明に直接に関わる要部の動作を図３および図４に示すフローチャートを用いて説明する。
【００３５】
先ず、図３を用いて記録処理について説明する。ステップＳ１において記録処理が開始され、次のステップＳ２でオンキー１３ａがＯＮされたか否かが判定され、ＮＯの場合には、ステップＳ４で従来同様の通常記録がなされ、換言すれば後述のブランク部の時間が所定時間より短い場合であっても、残記録時間として積算計数すると共に、ブランク部の時間が所定時間より短い場合であっても、当該ブランク部に、その後のデータ書き替えを行い得るようにする第２モードにて従来同様の通常記録がなされた後、終了とされる。
【００３６】
また、ステップＳ２でＹＥＳの場合には、次のステップＳ３に進み、換言すれば、記録動作のモードがＭＤの音声データトラックに順次に連続的に記録された複数曲のデータのうちの任意の曲データを該曲データの再生時間より短い別の曲のデータに書替えたときに生じたブランク部の時間が所定時間より短い場合には、残記録時間として積算計数しないようにすると共に、ＭＤの音声データトラックに記録された複数曲データのうちの任意の曲データを該曲データの再生時間より短い別の曲のデータに書替えたときに生じたブランク部の時間が所定時間より短い場合には、当該ブランク部に、その後のデータ書き替えを行わないようにする第１モードにされるのである。
【００３７】
ステップＳ３では、メモリ６に格納されたＵＴＯＣ等からエンドアドレスとスタートアドレスからブランク時間データを検出し、次のステップＳ５に進み、比較時間メモリ１２に格納された、予め設定された設定時間データと共に当該ブランク時間データが格納され、次のステップＳ６に進む。
【００３８】
ステップＳ６は、ブランク時間＜設定時間の判定を行うもので、ＹＥＳの場合には次のステップＳ７でブランク時間に対応する、ＵＴＯＣのエンドセクターに第１モードである旨の文字列符号を記録する。一方、ステップＳ６がＮＯの場合にはステップＳ７を行わず、ステップＳ８にジャンプする。
【００３９】
ステップＳ８は、メモリ６に格納されたＵＴＯＣのセクター１の内容を検出し全てのブランク部の積算時間を検出したか否かの判定が行われ、ＮＯの場合にはステップＳ３に戻され、ステップＳ５〜ステップＳ７が再度に亘って実行され、ＹＥＳになったときに次のステップＳ９に進む。
【００４０】
このステップＳ９は、ステップＳ７で付された文字列符号を付けた位置とブランクの合計時間を計算し、その内容をディスプレイ８に表示し、次のステップＳ１０でＵＴＯＣエリアのセクター１に付された前述の文字列符号に対応するブランク部のみに曲データの記録を行うことによって一連の動作が終了する。
【００４１】
さて、設定時間の設定処理の動作は、図４に示すようにステップＳ１１で設定時間の設定処理の動作が開始され、次のステップＳ１２でオンキー１３ａがオンさたか否かが判定され、ＮＯの場合には、次のステップＳ１３で設定しないという動作を行い動作完了となる。
【００４２】
一方、ステップＳ１２でＹＥＳの場合には、次のステップＳ１４に進み、比較時間メモリ１２を読み込み状態とし、予め設定された設定時間データを格納し、次のステップＳ１５でディスプレイ８にその内容を表示して次のステップＳ１６に進む。
【００４３】
ステップＳ１６は、セットキー１３ｂがＯＮされているか否かを判定し、ＮＯの場合には設定不要であるので前述のステップＳ１３に戻され、動作完了とされ、ＹＥＳの場合には、ステップＳ１７にて比較時間メモリ１２の設定されたデータを記録し、次のステップＳ１８で設定完了とされ一連の設定処理の動作が完了する。
【００４４】
なお、本発明は、前述の形態に限定されることなく、例えば、記録可能ブランクを選別する基準となる設定時間は、前述例のようにある特定の１つのものでなくてもよく、ユーザーが自分の好みで設定することができるような機能を持たせてもよい。
【００４５】
また、前述ＭＤは、曲データ、換言すれば音声データを記録する場合であるが、コンピュータデータを所定のブロック単位（曲データに対応）で記録する場合にも前述同様に適用でき、音声データと画像データを複合的に組み合わせて所定のブロック単位（曲データに対応）で記録する場合にも前述同様に適用できることは勿論である。
【００４６】
【発明の効果】
以上説明したように、本発明のＭＤ記録装置によれば、ＭＤの音声データトラックに順次に連続的に記録された複数曲のデータのうちの任意の曲データを該曲データの再生時間より短い別の曲のデータに書替えたときに生じたブランク部の時間が所定時間より短い場合には、残記録時間として積算計数しないように構成したり、当該ブランク部に、その後のデータ書き替えを行わないように構成するしたり、残記録時間として積算計数しないようにするモードとしたり、その後のデータ書き替えを行わないようにしたり、前記ブランク部の時間が所定時間より短い場合であっても、残記録時間として積算計数するモードとしたり、その後のデータ書き替えを行い得るようにするモードとするように構成されている。
【００４７】
したがって、一般に、製造販売されているＭＤ記録装置は、全ての機種で同じメモリ容量であったり同じショックプルーフ機能を持っていなくても、ブランク時間があまりに少ないと、光学ピックアップでＭＤのデータを読み取る際に、飛び飛びのブランク部分にトラックジャンプして所望のブランク部分を見つけ出し、そこに曲データの一部を記録し、再び別のブランク部分にトラックジャンプしてブランク部分を見つけ出して曲データの一部を記録するという動作を繰り返し行わなければならず、かなりの時間が掛かり、この間にショックプルーフメモリであるＤＲＡＭに既に格納されているデータが全て吐き出されてしまっても音飛びが発生することがない。
【００４８】
また、カーオーディオの一環としてＭＤ再生を行う場合にも、路面状態が悪く振動がＭＤ再生機器に与えられてしまい、光学ピックアップによるＭＤ記録盤面の読取り走査がそのサーボ可能性能を越えて一時的にうまく走査ができなくても、音飛びは殆ど生じない。
【００４９】
よって、ＭＤのデータ書き替えに際して複数のブランク部分に飛び飛びに記録され、再生時に円滑な再生が行われなくことが極力防止され、ユーザーが機器故障であると誤った受け取りをすることのないＭＤ記録装置を提供することができる。
【図面の簡単な説明】
【図１】本発明の一実施の形態によるＭＤ記録装置の回路要部を示すブロック図である。
【図２】図１に示されるキーマトリクスの詳細を示す平面図である。
【図３】図１および図２に示されるＭＤ記録装置の要部動作を説明するためのフローチャートである。
【図４】図１および図２に示されるＭＤ記録装置の要部動作を説明するためのフローチャートである。
【図５】従来のＭＤ記録装置の回路要部の一例を示すブロック図である。
【図６】図５中に示されるキーマトリクスの詳細を示す平面図である。
【図７】曲トラックにおける書き替えに対応するブランク部の変化を概念的に示す説明図である。
【符号の説明】
１          ＲＦマトリクスアンプ
２          制御回路
３          制御回路
４          ＤＲＡＭ
５          システムコントローラ
６          メモリ
７          キーマトリクス
７ａ      数字キー
７ｂ      タイトル入力キー
７ｃ      動作キー
８          ディスプレイ
９          Ｄ／Ａ変換回路
１０      Ａ／Ｄ変換回路
１１      光学ピックアップ
１２      比較時間メモリ
１３      キーマトリクス
１３ａ    オンキー
１３ｂ    セットキー
【図１】
0003598001.tif 000002
【図２】
0003598001.tif 000003
【図３】
0003598001.tif 000004
【図４】
0003598001.tif 000005
【図５】
0003598001.tif 000006
【図６】
0003598001.tif 000007
【図７】
0003598001.tif 000008